(57)【要約】【課題】３本の弦に対応する二股状のダンパーフェルトを有するダンパーにおいて、そのダンパーフェルトの２つの突出部の間を狭まりにくくすることができ、それにより、長期間にわたり安定して適切に止音することができるピアノのダンパーを提供する。【解決手段】３本の弦Ｓの長さ方向に沿って延び、３本の弦Ｓに対して離接する方向に移動自在のダンパーヘッド２と、このダンパーヘッド２の弦Ｓ側に取り付けられ、ダンパーヘッド２の長さ方向に沿って延びるとともに、弦Ｓ側に二股状に突出しかつ３本の弦Ｓの互いの隙間にそれぞれ挿入した状態で３本の弦Ｓに当接可能に構成された２つの突出部４Ｌ、４Ｒを有するダンパーフェルト４と、を備え、ダンパーフェルト４は、２つの突出部４Ｌ、４Ｒの間が狭まる変形に抗するように、ダンパーヘッド２に取り付けられている。【選択図】図１
2019152783.tif 000002
【特許請求の範囲】
【請求項１】
互いに間隔を隔てて平行に延び、単一の鍵に対応して構成された３本の弦に対し、当該鍵の押鍵に連動して離接することにより、当該弦の振動を許容又は停止するピアノのダンパーであって、
前記３本の弦の長さ方向に沿って延び、当該３本の弦に対して離接する方向に移動自在のダンパーヘッドと、
このダンパーヘッドの前記弦側に取り付けられ、当該ダンパーヘッドの長さ方向に沿って延びるとともに、前記弦側に二股状に突出しかつ前記３本の弦の互いの隙間にそれぞれ挿入した状態で当該３本の弦に当接可能に構成された２つの突出部を有するダンパーフェルトと、
を備え、
前記ダンパーフェルトは、前記２つの突出部の間が狭まる変形に抗するように、前記ダンパーヘッドに取り付けられていることを特徴とするピアノのダンパー。
【請求項２】
前記ダンパーフェルトが取り付けられる前記ダンパーヘッドの取付け面は、当該ダンパーヘッドの長さ方向と直交する断面形状が、前記弦側に突出する凸状に形成されており、
前記ダンパーヘッドへの取付け前の前記ダンパーフェルトは、前記取付け面に取り付けられる平坦な被取付け面を有していることを特徴とする請求項１に記載のピアノのダンパー。
【請求項３】
前記ダンパーヘッドの取付け面における前記断面形状は、Ｖ字状、台形状又は円弧状に形成されていることを特徴とする請求項２に記載のピアノのダンパー。
【請求項４】
前記ダンパーヘッドと前記ダンパーフェルトの間に介在した状態で取り付けられる介在部材を、さらに備え、
前記ダンパーフェルトが取り付けられる前記介在部材の取付け面は、前記ダンパーヘッドの長さ方向と直交する断面形状が、前記弦側に突出する凸状に形成されており、
前記ダンパーヘッドへの取付け前の前記ダンパーフェルトは、前記介在部材の前記取付け面に取り付けられる平坦な被取付け面を有していることを特徴とする請求項１に記載のピアノのダンパー。
【請求項５】
前記ダンパーフェルトが取り付けられる前記ダンパーヘッドの取付け面は、平坦に形成されており、
前記ダンパーヘッドへの取付け前の前記ダンパーフェルトは、前記取付け面に取り付けられる被取付け面を有しており、
前記被取付け面は、その中央に位置するとともに前記ダンパーヘッドの長さ方向に沿って延びる平坦部と、この平坦部の左右両端部にそれぞれ連なり、外方に向かって前下がりに傾斜する左右一対の傾斜部とを有していることを特徴とする請求項１に記載のピアノのダンパー。
【発明の詳細な説明】
【技術分野】
【０００１】
本発明は、押鍵された鍵に連動して弦に離接することにより、その弦の振動を許容又は停止するピアノのダンパーに関し、特に、ダンパーヘッドに取り付けられるダンパーフェルトの取付け構造に関する。
【背景技術】
【０００２】
従来、グランドピアノのダンパーとして、例えば特許文献１に記載のものが知られている。このダンパーは、前後方向に延びるブロック状のダンパーヘッドと、その底面に取り付けられた前後２つのダンパーフェルトとを備えている。ダンパーヘッドは、上下方向に延びるダンパーワイヤの上端部に取り付けられており、そのダンパーワイヤは、下端部に設けられたダンパーワイヤフレンジを介して、前後方向に延びるダンパーレバーに取り付けられている。このダンパーレバーは、その後端部が回動自在に支持されるとともに、前端部が前後方向に延びる鍵の後端部に載置されている。鍵が押鍵されていない状態、すなわち離鍵状態では、ダンパーは、対応する弦に対し、ダンパーフェルトが上方から当接した状態で、自重によってその弦を押圧している。
【０００３】
上記のピアノでは、鍵が押鍵されると、その鍵の後端部によって、ダンパーレバーが上方に回動駆動されることにより、ダンパーワイヤフレンジ及びダンパーワイヤが突き上げられ、それに伴い、ダンパーヘッドは、ダンパーフェルトと一体に上方に移動する。それにより、ダンパーフェルトが弦から離れ、その弦がハンマーで打弦されることによって振動し、これにより、ピアノ音が発生する。また、鍵が離鍵されると、ダンパーレバー、ダンパーワイヤフレンジ及びダンパーワイヤが、上記と逆方向に動作し、それに伴い、ダンパーヘッド及びダンパーフェルトは、下方に移動して元の位置に戻る。これにより、ダンパーフェルトが弦を押さえることにより、その振動を停止させ、ピアノ音が停止（止音）する。
【０００４】
また、アコースティックピアノでは一般に、低音から高音の全音域にわたり、それぞれの音域用の弦が用いられ、それらの弦に適したダンパーが用いられている。具体的には、グランドピアノの弦については、いずれも水平にかつ前後方向に延びるように張設され、低音側ほど太くて長く、低音側では１〜２本を、中音及び高音側では３本を一組として、鍵ごとに設けられている。
【０００５】
図７は、従来の中高音用のダンパーを、それによって止音される３本の弦Ｓとともに示している。同図に示すように、このダンパー１１は、ダンパーヘッド１２と、この底面に、アンダーフェルト１３を介して接着された前後２つのダンパーフェルト１４、１４とで構成されている。ダンパーヘッド１２は、前後方向に延びるとともに側面形状が山形状に形成されており、底面１２ａが平坦に形成されている。一方、各ダンパーフェルト１４は、前後方向に延びるとともに、その下半部が下方の弦Ｓ側に二股状に突出するように形成され（以下、図７（ｂ）の左右の突出部をそれぞれ「左突出部１４Ｌ」及び「右突出部１４Ｒ」という）、３本の弦の互いの隙間に挿入可能に構成されている。また、ダンパーフェルト１４では、ダンパーヘッド１２側の面である上面１４ａが平坦に形成されており、その上面１４ａが薄板状のアンダーフェルト１３を介して、ダンパーヘッド１２の底面１２ａに接着されている。なお、以下の説明では、３本の弦Ｓを特に区別する場合には、それらの弦Ｓを左側から順にそれぞれ、「左弦Ｓ１」、「中弦Ｓ２」及び「右弦Ｓ３」というものとする。
【先行技術文献】
【特許文献】
【０００６】
【特許文献１】特開２００１−３１２２７２号公報
【発明の概要】
【発明が解決しようとする課題】
【０００７】
上記のように構成されたダンパー１１では、押鍵後の離鍵時に下方に移動したときに、ダンパーフェルト１４の左突出部１４Ｌが左弦Ｓ１と中弦Ｓ２の間に、右突出部１４Ｒが中弦Ｓ２と右弦Ｓ３の間に上方から挿入することにより、これらの３本の弦Ｓの振動が同時に停止する。
【０００８】
しかし、ダンパー１１では、経年劣化により、ダンパーフェルト１４の形態保持性が低下し、例えば図８に示すように、二股状の左突出部１４Ｌと右突出部１４Ｒとの間が狭まることがある。この場合には、ダンパー１１が下方に移動したときに、ダンパーフェルト１４の左突出部１４Ｌと左弦Ｓ１との間や、右突出部１４Ｒと右弦Ｓ３との間に隙間が生じることがあり、それにより、振動する３本の全ての弦Ｓ１〜Ｓ３を同時に停止させることによる適切な止音を行うことができなくなる。もちろん、ピアノの調律時に、ダンパーフェルト１４の左突出部１４Ｌと右突出部１４Ｒとの間を広げるように調整することは可能であるものの、経時変化や、ピアノの使用環境などにより、ダンパーフェルト１４の左突出部１４Ｌと右突出部１４Ｒとの間が再度、狭まってしまうことがある。
【０００９】
本発明は、以上のような課題を解決するためになされたものであり、３本の弦に対応する二股状のダンパーフェルトを有するダンパーにおいて、そのダンパーフェルトの２つの突出部の間を狭まりにくくすることができ、それにより、長期間にわたり安定して適切に止音することができるピアノのダンパーを提供することを目的とする。
【課題を解決するための手段】
【００１０】
上記の目的を達成するために、請求項１に係る発明は、互いに間隔を隔てて平行に延び、単一の鍵に対応して構成された３本の弦に対し、鍵の押鍵に連動して離接することにより、弦の振動を許容又は停止するピアノのダンパーであって、３本の弦の長さ方向に沿って延び、３本の弦に対して離接する方向に移動自在のダンパーヘッドと、このダンパーヘッドの弦側に取り付けられ、ダンパーヘッドの長さ方向に沿って延びるとともに、弦側に二股状に突出しかつ３本の弦の互いの隙間にそれぞれ挿入した状態で３本の弦に当接可能に構成された２つの突出部を有するダンパーフェルトと、を備え、ダンパーフェルトは、２つの突出部の間が狭まる変形に抗するように、ダンパーヘッドに取り付けられていることを特徴とする。
【００１１】
この構成によれば、上記の３本の弦に対して離接する方向に移動自在のダンパーヘッドの弦側にダンパーフェルトが取り付けられている。このダンパーフェルトは、弦側に二股状に突出しかつ３本の弦の互いの隙間にそれぞれ挿入した状態でそれらの弦に当接可能な２つの突出部を有している。そして、このダンパーフェルトは、後述するように、２つの突出部の間が狭まる変形に抗するように、ダンパーヘッドに取り付けられている。したがって、本発明のダンパーによれば、ダンパーフェルトの２つの突出部の間を狭まりにくくすることができ、それにより、長期間にわたり安定して適切に止音することができる。
【００１２】
請求項２に係る発明は、請求項１に記載のピアノのダンパーにおいて、ダンパーフェルトが取り付けられるダンパーヘッドの取付け面は、ダンパーヘッドの長さ方向と直交する断面形状が、弦側に突出する凸状に形成されており、ダンパーヘッドへの取付け前のダンパーフェルトは、取付け面に取り付けられる平坦な被取付け面を有していることを特徴とする。
【００１３】
この構成によれば、ダンパーフェルトが取り付けられるダンパーヘッドの取付け面の上記断面形状が、弦側に突出する凸状に形成される一方、ダンパーヘッドへの取付け前のダンパーフェルトが、平坦な被取付け面を有している。ダンパーフェルトの平坦な被取付け面が、ダンパーヘッドの凸状の取付け面に取り付けられた状態では、ダンパーフェルトにおいて、各突出部のダンパーヘッド側の部位が、そのダンパーヘッド側に引っ張られた状態になる。つまり、ダンパーフェルトには、２つの突出部の間が狭まる方向とは逆方向の応力が作用し、その結果、両突出部の間が狭まるのを抑制することができる。また、ダンパーフェルトは、従来と同じものを使用可能であるので、既存のダンパーフェルトを利用することで、製造コストを抑制しながら、本発明のダンパーを得ることができる。
【００１４】
請求項３に係る発明は、請求項２に記載のピアノのダンパーにおいて、記ダンパーヘッドの取付け面における断面形状は、Ｖ字状、台形状又は円弧状に形成されていることを特徴とする。
【００１５】
この構成によれば、ダンパーヘッドの取付け面における断面形状を、Ｖ字状、台形状又は円弧状に形成するので、断面形状が凸状に形成されるダンパーヘッドの上記取付け面を容易に構成することができる。また、上記構成のダンパーヘッドを作製する際に、例えば従来と同様の平坦な取付け面を有するダンパーヘッドに対し、その取付け面を切削することなどにより、所望のダンパーヘッドを容易に得ることができる。
【００１６】
請求項４に係る発明は、請求項１に記載のピアノのダンパーにおいて、ダンパーヘッドとダンパーフェルトの間に介在した状態で取り付けられる介在部材を、さらに備え、ダンパーフェルトが取り付けられる介在部材の取付け面は、ダンパーヘッドの長さ方向と直交する断面形状が、弦側に突出する凸状に形成されており、ダンパーヘッドへの取付け前のダンパーフェルトは、介在部材の取付け面に取り付けられる平坦な被取付け面を有していることを特徴とする。
【００１７】
この構成によれば、ダンパーヘッドとダンパーフェルトの間に介在する介在部材において、ダンパーフェルトが取り付けられる取付け面の上記断面形状が、弦側に突出する凸状に形成されている。一方、ダンパーヘッドへの取付け前のダンパーフェルトが、平坦な被取付け面を有している。ダンパーフェルトの平坦な被取付け面が、介在部材の凸状の取付け面に取り付けられた状態では、前述した請求項２と同様、ダンパーフェルトにおいて、各突出部のダンパーヘッド側の部位が、そのダンパーヘッド側に引っ張られた状態になり、それにより、２つの突出部の間が狭まる方向とは逆方向の応力が作用することで、両突出部の間が狭まるのを抑制することができる。また、ダンパーヘッド及びダンパーフェルトは、従来と同じものを使用可能であるので、既存のダンパーヘッド及びダンパーフェルトを利用することで、製造コストを抑制しながら、本発明のダンパーを得ることができる。
【００１８】
請求項５に係る発明は、請求項１に記載のピアノのダンパーにおいて、ダンパーフェルトが取り付けられるダンパーヘッドの取付け面は、平坦に形成されており、ダンパーヘッドへの取付け前のダンパーフェルトは、取付け面に取り付けられる被取付け面を有しており、被取付け面は、その中央に位置するとともにダンパーヘッドの長さ方向に沿って延びる平坦部と、この平坦部の左右両端部にそれぞれ連なり、外方に向かって前下がりに傾斜する左右一対の傾斜部とを有していることを特徴とする。
【００１９】
この構成によれば、ダンパーフェルトが取り付けられるダンパーヘッドの平坦な取付け面に、ダンパーフェルトの被取付け面が取り付けられる。この被取付け面は、その中央に位置する平坦部と、その左右両側に前下がりに傾斜する左右一対の傾斜部とを有している。ダンパーフェルトの被取付け面、すなわち平坦部及び左右一対の傾斜部が、ダンパーヘッドの平坦な取付け面に取り付けられた状態では、前述した請求項２と同様、ダンパーフェルトにおいて、各突出部のダンパーヘッド側の部位が、そのダンパーヘッド側に引っ張られた状態になり、それにより、２つの突出部の間が狭まる方向とは逆方向の応力が作用することで、両突出部の間が狭まるのを抑制することができる。また、ダンパーヘッドは、従来と同じものを使用可能であるので、既存のダンパーヘッドを利用することで、製造コストを抑制しながら、本発明のダンパーを得ることができる。
【図面の簡単な説明】
【００２０】
【図１】本発明の第１実施形態によるピアノのダンパーを、それによって止音された３本の弦とともに示す図であり、（ａ）は斜視図、（ｂ）は正面図である。
【図２】ダンパーの組立て前の状態を示す図であり、（ａ）はダンパーヘッド、（ｂ）はアンダーフェルト、（ｃ）はダンパーフェルトを示す。
【図３】ダンパーの組立て手順を説明するための説明図である。
【図４】本発明の第１実施形態によるピアノのダンパーの変形例を示す図である。
【図５】（ａ）は、本発明の第１実施形態によるピアノのダンパーを示す斜視図であり、（ｂ）は、変形例のダンパーを示す斜視図である。
【図６】本発明の第２実施形態によるピアノのダンパーを説明するための図であり、（ａ）は組立て前の状態、（ｂ）は組立て後の状態を示している。
【図７】従来のピアノのダンパーを、止音される３本の弦とともに示す図であり、（ａ）は斜視図、（ｂ）は正面図である。
【図８】従来のピアノのダンパーを、止音される３本の弦とともに示す図であり、経年変化したダンパーフェルトにより、両側の弦が止音不能になった状態を示す。
【発明を実施するための形態】
【００２１】
以下、図面を参照しながら、本発明の好ましい実施形態を詳細に説明する。図１は、本発明の第１実施形態によるグランドピアノのダンパーを、それによって止音された状態の３本の弦とともに示している。同図に示すダンパー１は、３本の弦Ｓ（左弦Ｓ１、中弦Ｓ２及び右弦Ｓ３）を一組とする中高音用の弦Ｓに対応するものであり、その基本的な構成は、前述したダンパー１１と同様である。すなわち、ダンパー１は、ダンパーヘッド２と、このダンパーヘッド２の底面にアンダーフェルト３を介して取り付けられた前後２つのダンパーフェルト４、４とを備えている。なお、上記の３本の弦Ｓ１、Ｓ２及びＳ３は、互いに左右方向に所定間隔を隔てた状態で、前後方向に水平に延びるように張設されている。
【００２２】
ダンパーヘッド２は、木材や合成樹脂などから成り、前後方向に所定長さ（例えば４０ｍｍ）延びるとともに、側面形状が山形状で左右方向に所定の横幅（例えば１０．５ｍｍ）を有するブロック状に形成されている。このダンパーヘッド２の底面２ａ（取付け面）は、その長さ方向の全体にわたり、ダンパーヘッド２の長さ方向と直交する断面形状が、下方に突出する凸状、より具体的にはＶ字状に形成されている。このダンパーヘッド２の底面２ａには、赤色のフェルトなどから成り、所定の厚さ（例えば１ｍｍ）を有する前後２つのアンダーフェルト３、３が、底面２ａに沿ってＶ字状に接着されている。そして、これらのアンダーフェルト３、３の下面にそれぞれ、ダンパーフェルト４、４が接着されている。
【００２３】
各ダンパーフェルト４は、ダンパーヘッド２の長さ方向に沿って延び、そのダンパーヘッド２の長さの１／２よりも短い所定の長さを有している。また、ダンパーフェルト４は、下方の弦Ｓ側に二股状に突出し、３本の弦Ｓの互いの隙間にそれぞれ挿入した状態で、これらの弦Ｓに当接可能に構成された２つの突出部（左突出部４Ｌ及び右突出部４Ｒ）を有している。
【００２４】
図１（ｂ）に示すように、ダンパーフェルト４の左突出部４Ｌ及び右突出部４Ｒはいずれも、左右方向の幅が下方に向かって次第に小さくなるように形成され、下端の幅が、隣り合う弦Ｓ同士の隙間よりも小さくなっている。また、左突出部４Ｌと右突出部４Ｒの下端同士の距離Ｄは、弦Ｓの直径よりも大きくなっている。さらに、ダンパーフェルト４の上面４ａ（被取付け面）は、ダンパーヘッド２の底面２ａ及びアンダーフェルト３に沿って、正面形状がＶ字状に形成されている。具体的には、ダンパーフェルト４の上面４ａにおいて、左突出部４Ｌ及び右突出部４Ｒの真上に相当する部分がそれぞれ、外方（図１（ｂ）の左方及び右方）に向かって前上がりに傾斜している。
【００２５】
ここで、図２及び図３を参照して、ダンパー１の作製手順について説明する。まず、図２（ａ）、（ｂ）及び（ｃ）にそれぞれ示すように、ダンパーヘッド２、アンダーフェルト３及びダンパーフェルト４を準備する。この場合、ダンパーヘッド２については、その底面２ａを、長さ方向（図２の奥行き方向）の全体にわたってＶ字状に形成する。また、アンダーフェルト３については、長尺状に成形されたものを適宜切断し、ダンパーフェルト４と同じ長さを有するように、２つ切り出す。さらに、ダンパーフェルト４については、従来と同様に構成されたもの、すなわち下方に二股状に突出するとともに、上面４ａが平坦に形成されているものを、２つ準備する。なお、このダンパーフェルト４では、左突出部４Ｌ及び右突出部４Ｒの下端同士の距離ｄが、ダンパーヘッド２に取り付けられたときの距離Ｄよりも、小さくなっている。
【００２６】
次いで、図３（ａ）又は（ｂ）に示すように、アンダーフェルト３を、ダンパーフェルト４の上面４ａの全体に、又はダンパーヘッド２の底面２ａの所定位置に接着する。そして、図３（ｃ）に示すように、ダンパーヘッド２の底面２ａに、アンダーフェルト３を介して、ダンパーフェルト４の上面４ａを接着する。この場合、ダンパーフェルト４において、左突出部４Ｌ及び右突出部４Ｒの真上に相当する部位が、上方のダンパーヘッド２側に引っ張られた状態になる。これにより、ダンパーフェルト４には、同図（ｃ）の白抜き矢印で示すような応力が作用し、その結果、ダンパーフェルト４の左突出部４Ｌと右突出部４Ｒの間が狭まるのを抑制することができる。
【００２７】
以上のように、本実施形態によれば、ダンパーヘッド２の底面２ａが、下方に突出するＶ字状に形成される一方、取付け前のダンパーフェルト４が、平坦な上面４ａを有しており、その上面４ａをダンパーヘッド２の底面２ａに沿ってＶ字状に変形させた状態で、ダンパーヘッド２に取り付けられている。つまり、このダンパーフェルト４は、左突出部４Ｌと右突出部４Ｒの間が狭まる変形に抗するように、ダンパーヘッド２に取り付けられている。これにより、ダンパーフェルト４において、左突出部４Ｌと右突出部４Ｒの間を狭まりにくくすることができ、その結果、ダンパー１により、長期間にわたり安定して適切に止音することができる。
【００２８】
図４は、上述したダンパー１の変形例であり、具体的には、下方に突出する凸状に形成された各種の底面２ａを有するダンパーヘッド２を採用したダンパーを示している。同図（ａ）に示す第１変形例のダンパー１Ａでは、ダンパーヘッド２の底面２ａが台形状に形成されており、また、同図（ｂ）に示す第２変形例のダンパー１Ｂでは、ダンパーヘッド２の底面２ａが円弧状に形成されている。したがって、これらのダンパー１Ａ及び１Ｂでは、ダンパーヘッド２の底面２ａの形状に沿った状態で、アンダーフェルト３及びダンパーフェルト４の上面４ａが、ダンパーヘッド２の底面２ａに取り付けられている。
【００２９】
また、図４（ｃ）に示す第３変形例のダンパー１Ｃでは、ダンパーヘッド２の底面２ａが、従来のダンパーヘッドと同様、平坦に形成され、このダンパーヘッド２とダンパーフェルト４の間に、下方に突出した凸状の介在部材３’が設けられている。この介在部材３’は、前述したダンパー１のアンダーフェルト３と同様のフェルト、あるいは合成樹脂などから成り、上面が平坦でかつ底面がＶ字状に形成されている。
【００３０】
以上のダンパー１Ａ、１Ｂ及び１Ｃも、前述したダンパー１と同様、ダンパーフェルト４において、左突出部４Ｌと右突出部４Ｒの間を狭まりにくくすることができ、長期間にわたり安定して適切に止音することができる。
【００３１】
また、第１実施形態では、図５（ａ）に示すように、いずれも二股状に形成された２つのダンパーフェルト４、４を備えたダンパー１について説明したが、本発明はこれに限定されるものではなく、前後２つのダンパーフェルトを備えたダンパーにおいて、例えば図５（ｂ）に示す第４変形例のダンパー１Ｄに示すように、一方のダンパーフェルト４のみを二股状に形成したものを用い、他方のダンパーフェルト４’を底面が平坦なものを用いてもよい。このダンパー１Ｄでは、ダンパーヘッド２の底面２ａのうち、二股状のダンパーフェルト４が取り付けられる部分のみが、前述したように、下方に突出する凸状に形成されている。
【００３２】
図６は、本発明の第２実施形態によるダンパーを示しており、（ａ）は組立て前の状態、（ｂ）は組立て後の状態を示している。同図（ａ）に示すように、このダンパー１Ｅは、前述した第１実施形態のダンパー１に対し、ダンパーヘッド２の底面２ａ及びダンパーフェルト４の上面４ａの形状が異なっている。
【００３３】
すなわち、ダンパー１Ｅでは、ダンパーヘッド２の底面２ａが平坦に形成されている。また、ダンパーフェルト４の上面４ａは、平坦な平坦部４ｂと、この平坦部４ｂの左右両端部にそれぞれ連なり、外方（図６（ａ）の左方及び右方）に向かって前上がりに傾斜する左右一対の傾斜部４ｃ、４ｃとで構成されている。平坦部４ｂは、ダンパーフェルト４の上面中央に位置するとともに、ダンパーヘッド２の長さ方向に沿って延びている。左右一対の傾斜部４ｃ、４ｃはいずれも、平坦部４ｂと同様、ダンパーヘッド２の長さ方向に沿って延び、各傾斜部４ｃが左突出部４Ｌ及び右突出部４Ｒの真上に位置している。
【００３４】
そして、ダンパーフェルト４の上面４ａが、アンダーフェルト３を介して、ダンパーヘッド２の底面２ａに取り付けられた状態では、図６（ｂ）に示すように、平坦部４ｂ及び両傾斜部４ｃ、４ｃが、面一の状態になっている。この場合、前述した第１実施形態と同様、ダンパーフェルト４には、同図（ｂ）の白抜き矢印で示すような応力が作用し、その結果、ダンパーフェルト４の左突出部４Ｌと右突出部４Ｒの間が狭まるのを抑制することができる。したがって、本実施形態のダンパー１Ｅによっても、第１実施形態のダンパー１と同様の効果を得ることができる。
【００３５】
なお、本発明は、説明した上記実施形態に限定されることなく、種々の態様で実施することができる。例えば、実施形態では、グランドピアノのダンパーについて説明したが、本発明は、アップライトピアノのダンパーにももちろん適用可能である。また、第１実施形態のダンパー１では、ダンパーフェルト４として、上面が平坦な従来と同じダンパーフェルトを使用可能であり、一方、第２実施形態のダンパー１Ｅでは、ダンパーヘッド２として、底面が平坦な従来と同じダンパーヘッドを使用可能であるので、既存のダンパーフェルト及びダンパーヘッドを利用することにより、製造コストを抑制しながら、本発明のダンパーを得ることができる。さらに、実施形態で示したダンパー１、ダンパーヘッド２、アンダーフェルト３及びダンパーフェルト４の細部の構成などは、あくまで例示であり、本発明の趣旨の範囲内で適宜、変更することができる。
【符号の説明】
【００３６】
１    第１実施形態のダンパー
１Ａ  第１変形例のダンパー
１Ｂ  第２変形例のダンパー
１Ｃ  第３変形例のダンパー
１Ｄ  第４変形例のダンパー
１Ｅ  第２実施形態のダンパー
２    ダンパーヘッド
２ａ  ダンパーヘッドの底面（取付け面）
３    アンダーフェルト
４    ダンパーフェルト
４ａ  ダンパーフェルトの上面（被取付け面）
４ｂ  平坦部
４ｃ  傾斜部
４Ｌ  左突出部
４Ｒ  右突出部
Ｄ    取付け後の左突出部と右突出部の下端同士の距離
ｄ    取付け前の左突出部と右突出部の下端同士の距離
Ｓ    弦
Ｓ１  左弦
Ｓ２  中弦
Ｓ３  右弦
【図１】
2019152783.tif 000003
【図２】
2019152783.tif 000004
【図３】
2019152783.tif 000005
【図４】
2019152783.tif 000006
【図５】
2019152783.tif 000007
【図６】
2019152783.tif 000008
【図７】
2019152783.tif 000009
【図８】
2019152783.tif 000010